(57)【要約】ガスバーナー（１００）は、最適なガス／空気混合物を形成するように制御される可変速度ファン（１０４）を具備するように開示される。制御は、ガス弁位置又は出力火炎の計測された特性をフィードバックとして、有するマイクロプロセッサを使用して実施される。ガスバーナーは、料理の容器への最適な火炎の接触を確保する改善された出口スロットを具備する。【特許請求の範囲】
【請求項１】
ガスバーナーにおいて、このガスバーナーは、
少なくとも１つの内部空洞と、少なくとも３つの開口と、を具備していて、全てのものが該内部空洞に流体接続する、バーナーハウジングと、
該開口の該第１の開口と流体接続する、多数の出口ポートと、バーナーキャップと、を具備する出口アセンブリであって前記バーナーキャップが該出口アセンブリに取り付けられる出口アセンブリと、
ガス燃料の調整可能な流れを提供するためであって該開口の第２の開口に流体接続する、調整可能なガス供給手段と、
少なくとも酸素を含むガスの流れを提供するためであって該開口の第３の開口に流体接続する、酸素供給手段と、
少なくとも酸素を含む該ガスの流れを加圧するための該第３の開口に関連する、加圧手段と、を具備する、ガスバーナーにおいて、
使用において加圧手段は、少なくとも酸素を含む該ガスの流れを、該内部空洞を通り流れさせて、ガス燃料の該調整可能な流れと混合させており、それの組み合わせは、該第１の開口及びその後燃焼される該多数の出口ポートを通り流れており、更に該調整可能なガス供給手段は直ちに、該出口アセンブリを取り外すことにより、アクセスが可能で且つ取り外し可能である、
ガスバーナー。
【請求項２】
該加圧手段は可変速度ファンを具備する請求項１に記載のガスバーナー。
【請求項３】
該出口アセンブリはベンチュリーを具備しており、そのベンチュリーを通り、ガス燃料の該調整可能な流れは流れており、それにより少なくとも酸素を含む該ガスの流れをガス燃料の該流れに混合させる請求項１又は２のいずれかに記載のガスバーナー。
【請求項４】
該ガスバーナーは、制御手段と、該制御手段にガス燃料の該流れの前記ガス流量に関係する変数を供給するための手段と、を更に具備しており、それにより該制御手段は該変数に従い該加圧手段のエネルギ化を変化させる請求項１から３のいずれか一項に記載のガスバーナー。
【請求項５】
該ガスバーナーハウジングは、該第１の開口を該第２の開口に接続する螺旋状のボリュートを具備する請求項１から４のいずれか一項に記載のガスバーナー。
【請求項６】
ガスバーナーにおいて、このガスバーナーは、
少なくとも１つの内部空洞と、少なくとも３つの開口と、を具備していて、全てのものが該内部空洞に流体接続する、バーナーハウジングと、
該開口の該第１の開口と流体接続する、多数の出口ポートを具備する出口アセンブリであって、該多数の出口ポートは、多数の出口ポートの周囲で該出口アセンブリのより外側周囲の実質的な部分を囲む出口アセンブリと、
ガス燃料の調整可能な流れを提供するためであって該開口の第２の開口に流体接続する、調整可能なガス供給手段と、
少なくとも酸素を含むガスの流れを提供するためであって該開口の第３の開口に流体接続する、酸素供給手段と、を具備する、ガスバーナーにおいて、
使用において少なくとも酸素を含む該ガスの流れは、該内部空洞を通り流れており、ガス燃料の該調整可能な流れと混合しており、それらの組み合わせは、該第１の開口及び燃焼される該多数の出口ポートを通り流れる
ガスバーナー。
【請求項７】
該多数の出口ポートのトータルの交互の幅は、多数の出口ポートの周りの該出口アセンブリの外側周囲の７０％に比べてより大きい請求項６に記載のガスバーナー。
【請求項８】
該多数の出口ポートの垂直方向の高さは、２ｍｍに比べてより小さい請求項６又は７のいずれかに記載のガスバーナー。
【請求項９】
該多数の出口ポートの垂直方向の高さは、１ｍｍである請求項８に記載のガスバーナー。
【請求項１０】
該多数の出口ポートの各々は、０度に比べてより大きい半径方向の角度で形成される請求項６から９のいずれか一項に記載のガスバーナー。
【請求項１１】
該多数の出口ポートの各々は、４０から５０度の間にある半径方向の角度で形成される請求項１０に記載のガスバーナー。
【請求項１２】
該多数の出口ポートは多数の部分に分割されており、隣接部分の対向する限界における出口ポートの間に該出口アセンブリの外周上にスペースが存在しており、使用において適応される該スペースは、三脚台の指が、該出口ポートからの火炎が該指に実質的に衝突しない状態で、該スペース上に直接的に並置されることを許容する、請求項１１に記載のガスバーナー。
【請求項１３】
該多数の出口ポートの各々は外側に拡げられる請求項６から１２のいずれか一項に記載のガスバーナー。
【請求項１４】
該多数の出口ポートの各々は、６から１２度の間で外側に拡げられる請求項１３に記載のガスバーナー。
【発明の詳細な説明】
【０００１】
従来技術の概要
ガス加熱を料理の手段として使用するための既知の技術には多数の装置がある。その様な装置の重要な部分は、ガス燃料のための出口を提供するガスバーナーであり、そのガス燃料はその際熱を発生するために燃焼される。従って多くの方法は長期間にわたって、その様なガスバーナーの運転特性を改善するために工夫されてきた。
【０００２】
例えば、バーナーへの空気供給を加圧することが技術的に知られている。米国特許第４，６２２，９４６号において例えば、ガスバーナーは、バーナーの入り口に１つの固定速度のファンを具備するように開示されており、ガス及び空気の両者の流れは、多数のバーナーに供給する弁により制御される。バーナーからの排気ガスを吸引するためにファンを使用することも既知であり、そこでは燃焼は囲まれた空間で形成されており、そのことは例えば、米国特許第５８００１５７号及び欧州特許出願第８０１２７０号にて開示される。また欧州特許出願第８８７５９０号においては、ガスバーナーは、バーナーヘッドへ供給される流れを加圧するファンを有する混合チャンバ内にオリフィス（適合された寸法の）を介して、ガス及び空気が供給されるように開示される。
【０００３】
出口ポートの形状を変化させてオペレーションを改善することが、やはり技術的に既知である。例えば米国特許第５６４９８２２号及びＰＣＴ特許出願第９８／１５７８０号においてガスバーナーは、角度付きの出口ポートを具備して開示される。米国特許第５８００１５９号においてガスバーナーは、ラッパ状に拡げられた（ｆｌａｒｅｄ）安定ポートを具備して開示される。出口ポートの垂直平面及び例えばドイツ特許第４４２７９５３号において実質的に周辺の部分において、フレア（拡大部）を備えるガスバーナーを有することも既知である。
【０００４】
しかし、これら従来技術の装置（システム）がオペレーションの特定の部分の改善を提供する一方で、それらはガス供給の範囲を伴う使用に適さず、製造するには大きいか又は高価である場合があり、更に加熱容器に対して火炎を分配して接触させない可能性がある。
【０００５】
本発明の目的は、上述した欠点を何らかの方法で克服可能であるか、又は公共に有益な選択を少なくとも与える、改善されたガスバーナーを提供することである。
【０００６】
本発明の概要
本発明の第１の形態は従って、以下のものを具備するガスバーナーにより構成される。
少なくとも１つの内部空洞と、少なくとも３つの開口と、を具備していて、全てのものが該内部空洞に流体接続する、バーナーハウジングと、
該開口の該第１の開口と流体接続する、多数の出口ポートと、バーナーキャップと、を具備する出口アセンブリであって前記バーナーキャップが該出口アセンブリに取り付けられる出口アセンブリと、
ガス燃料の調整可能な流れを提供するためであって該開口の第２の開口に流体接続する、調整可能なガス供給手段と、
少なくとも酸素を含むガスの流れを提供するためであって該開口の第３の開口に流体接続する、酸素供給手段と、
少なくとも酸素を含む該ガスの流れを加圧するための該第３の開口に関連する、加圧手段と、を具備しており、
そこでは使用において加圧手段は、少なくとも酸素を含む該ガスの流れを、該内部空洞を通り流れさせて、ガス燃料の該調整可能な流れと混合させており、それの組み合わせは、該第１の開口及びその後燃焼される該多数の出口ポートを通り流れており、更に該調整可能なガス供給手段は直ちに、該出口アセンブリを取り外すことにより、アクセス（近づくこと）が可能で且つ取り外し可能である。
【０００７】
該加圧手段は可変速度ファンを具備することが好ましい。
【０００８】
該出口アセンブリはベンチュリーを具備することが好ましく、そのベンチュリーを通り、ガス燃料の該調整可能な流れは流れており、それにより少なくとも酸素を含む該ガスの流れをガス燃料の該流れに混合させる。
【０００９】
該ガスバーナーは、制御手段と、該制御手段にガス燃料の該流れの前記ガス流量に関係する変数を供給するための手段と、を更に具備することが好ましく、それにより該制御手段は該変数に従い該加圧手段のエネルギ化（動力供給量）を変化させる。
【００１０】
該ガスバーナーハウジングは、該第１の開口を該第２の開口に接続する螺旋状のボリュート（渦構造）を具備することが好ましい。
【００１１】
本発明の別の形態は、以下のものを具備するガスバーナーにより構成される。
少なくとも１つの内部空洞と、少なくとも３つの開口と、を具備していて、全てのものが該内部空洞に流体接続する、バーナーハウジングと、
該開口の該第１の開口と流体接続する、多数の出口ポートを具備する出口アセンブリであって、該多数の出口ポートは、多数の出口ポートの周囲で該出口アセンブリのより外側周囲の実質的な部分を囲む出口アセンブリと、
ガス燃料の調整可能な流れを提供するためであって該開口の第２の開口に流体接続する、調整可能なガス供給手段と、
少なくとも酸素を含むガスの流れを提供するためであって該開口の第３の開口に流体接続する、酸素供給手段と、を具備しており、
そこでは使用において少なくとも酸素を含む該ガスの流れは、該内部空洞を通り流れており、ガス燃料の該調整可能な流れと混合しており、それらの組み合わせは、該第１の開口及び燃焼される該多数の出口ポートを通り流れる。
【００１２】
該多数の出口ポートのトータル（全体）の交互の（ｃｏｍｍｕｔａｔｉｖｅ）幅は、多数の出口ポートの周りの該出口アセンブリの外側周囲の７０％に比べてより大きいことが好ましい。
【００１３】
該多数の出口ポートの垂直方向の高さは、２ｍｍに比べてより小さいことが好ましい。
該多数の出口ポートの垂直方向の高さは、１ｍｍであることが好ましい。
【００１４】
該多数の出口ポートの各々は、０度に比べてより大きい半径方向の角度で形成されることが好ましい。
該多数の出口ポートの各々は、４０から５０度の間にある半径方向の角度で形成されることが好ましい。
【００１５】
該多数の出口ポートの各々は外側にラッパ状に拡げられる（フレア）ことが好ましい。
該多数の出口ポートの各々は、６から１２度の間で外側にラッパ状に拡げられる（フレア）ことが好ましい。
【００１６】
本発明の関係する技術の当業者に対して、本発明の構造における多数の変形と、本発明の広範な異なる実施の形態及び出願とは、本明細書に添付される請求項に規定される本発明の範囲から逸脱することなく、それら自身を示している。本明細書における開示及び説明は純粋に例解であって、限定的な任意の意味を有するように意図されるものではない。
【００１７】
本発明は、前述の記載において構成されており、更に下記により示す例の構造を予測する。
本発明の１つの好適な形は添付図面を参照して以下で説明される。
【００１８】
好適な実施の形態の詳細な説明
本発明は、改善されたガスバーナーを提供しており、そのガスバーナーは従来技術のガスバーナーに比べて、より低い射出量（ｅｍｉｓｓｉｏｎｓ）と、より大きな運転範囲と、改善された性能を提供する。本発明は、燃焼のためのガスに混合される空気供給を加圧するための可変速度式ファンを具備する。本発明はまた、革新的な出口ポートを具備しており、その出口ポートは、更に従来技術の装置に比較してより広い運転範囲にわたって出力火炎の分配及び品質を改善する。
【００１９】
ここで図１から４を参照すると、ガスバーナー１００は、主本体１０２と、可変速度式ファン１０４と、出口アセンブリ１０６と、バーナーキャップ１０８と、を具備する。主本体１０２はまた、頂部（トップ）カバー１０３を具備しており、トップカバー１０３はボルト９７を使用して、製造において主本体の頂部に取り付けられており、そのボルト９７は主本体１０２の事前にネジ切られた開口内にねじ込まれる。この２部分の構造は、ファン１０４がスロット１０５内に設置されて、別のボルトを必要としないで、所定の場所に固定されることを可能にする。全体のガスバーナー１００は、螺旋状にネジ切られた固定ナット１０７により、ガス装置の頂部の面板９５に取り付けられており、その固定ナット１０７は頂部カバー１０３の外側のネジ１１０にネジ込まれており、そのことは頂部カバー１０３上に面板９５を押さえつける。出口アセンブリ１０６は図２と３においてより詳細に示されており、それは頂部カバー１０３の頂部の所定位置に滑り込む。同様にバーナーキャップ１０８は出口アセンブリ１０６の頂部に配置される。
【００２０】
ガス供給は主本体１０２の外部において主ガス入り口１０９に接続される。これは、出口シリンダ１１４の直接下で、主本体１０２の中央チャンバ１１３の底部に配置されたガス入り口オリフィス１１１に接続する。ガスジェットフィッティング１１２はガス入り口オリフィス１１１内にねじ込まれる。本発明はモジュールであり、それにより異なる出力範囲は、内部交換可能なアセンブリの１つの範囲を有する出口アセンブリ１０６による置換により実現可能であることが認識される。その様なアセンブリは、最大出力に従う寸法の範囲に存在するが、しかし同じ主本体１０２に交換可能に適合されるべき同じ内側寸法を有する。別のモジュール方式は、例えば天然ガスに対するＬＰＧ等の異なるガス供給に必要とされる、ガスジェットフィッティング１１２を交換するための能力により実現される。同様に保守及び清掃はまた、このモジュール化及び簡単な構造により単純化される。
【００２１】
ガスを空気供給に適切に混合させるために本発明は、ベンチュリー１１６を具備しており、そのベンチュリー１１６はバーナーキャップ１０８の下側と出口アセンブリ１０６の上面とにより形成される。前記ベンチュリーの効果は、出口シリンダ１１４の頂部においての流れの経路の集斂、更にその後に続く水平な分散１２０により生じる。このベンチュリーの効果はガスの流れと共に空気を吸引する。
【００２２】
ファン１０４により加圧された空気供給には、図４に最も良く示される流れの経路がその後続く。空気は螺旋状のボルート（渦部）１２２を通り水平に渦を形成しており、そのボルート１２２は中央空洞（ｃａｖｉｔｙ）１１３で終結する。この点において、ガスはガスジェットフィッティング１１２から噴出されてベンチュリー１１６内に入るので、ベンチュリー作用と渦の加圧空気の混合作用との組み合わせは、空気とガスを完全に混合させる。
【００２３】
本発明の好適な実施の形態において、可変速度式ファンは図７に示すように制御される。コントローラ２００は、マイクロプロセッサ又は任意のアナログ式の同様な装置の何れかであり、ガスバーナーに供給するガス入り口弁２０４内のロータリエンコーダ２０２からの信号を受信する。ＣＯＭにおいてポテンショメータ又はマイクロスウィッチ等の別のセンサが、同様に使用可能であることが認識される。記憶された式又はルックアップテーブル２０５に基づいて、コントローラは、ガス弁の設定に依存してファン２０８のエネルギ化（電力供給量）２０６を調整する。これとは別にファン速度は、流量センサにより計測されたガスの実際の流量に基づいて制御可能である。別の代替案は、火炎からの直接的フィードバックを使用する、閉鎖ループ制御であっても良い。火炎は、ＣＯ２、Ｏ２、発される光の色等を使用して計測可能であり、空気のより高い又はより低い流れのいずれが必要であるかを決定するために、最適なレベルに合わせることが可能である。
【００２４】
ベンチュリー１１６の後に、ガス ／空気混合物は、出口アセンブリ１０６の上面の外側周辺及びバーナーキャップ１０８の下側において、溝１２６により形成された出口ポート１２４を通り流れる。一旦ガス／空気混合物が、ポート１２４を介して大気に流出すると、それは燃焼して、バーナーヘッドの周囲１２８の周りに特徴的なリングの火炎を形成する。
【００２５】
図５Ａと５Ｂにより詳細に示される溝１２６は、多数の識別的な形状を有する。溝１２６は、それらがバーナーヘッドの周囲１２８の７０％より広い部分を占有する特徴を有する。出口アセンブリ１０６の各１／４の部分は、一方の端部において４０度の角度１４６で溝１４２を有しており、もう一方の端部において５０度の角度１４４で溝１４０を有する。間の全ての溝は４０度から５０度へ均等に増大する角度にある。溝１２６は全て、火炎が三脚台（トライベット）１２９に顕著に衝突しないで、その結果一酸化炭素を生成しないことを確保するように角度範囲において角度を有する。従来のバーナーにおいて溝は、三脚台のある場所にはない。本発明の好適な実施の形態において三脚台１２９は、角度を有する溝の間の１／４の移行部の間の広いスペース１３１に配置される。図５Ａにおいて三脚台１２９は、４０度の溝１４２と５０度の溝１４０との間において４５度の角度で示される。この形態はより均一な加熱を可能にしており、ポートはまだ共に近くにあるので、それらはお互いに点火可能である。丁度溝１２６の内側に、環状のチャンネル１４７がある。これは圧力バッファー区域として作用しており、その圧力バッファー区域は、燃焼前に供給圧力の任意の変動からガスの流れを安定させる。
【００２６】
溝１２６自体はまた形状において慎重に設計される。入り口断面１３２は、出口断面１３４と同じ高さであり、その高さは共に約１ｍｍであるが、しかし出口ポートの断面１３４の面積は、入り口断面１３２の面積の約１．６倍である。入り口から出口への拡大（フレアリング）は１１度であるが、しかし約６から１２度までの範囲にあり得る。これは、溝長さの入り口幅に対する比を３．５から４．５にする。入り口の断面１３２は効果的に半円径であるので、出口断面１３４は、中心において平らな部分１３８により接続されるいずれかの端部において丸い部分１３６，１３７を有する。丸い角取り及びフレアリングは共に、バーナー出力レベルの広い範囲に関して、良好な火炎形状を形成するように構成される。
【００２７】
本発明のこれとは別の形態において出口アセンブリ１５２は、垂直のベンチュリーを有する図６に示される。前述の実施の形態と同様にベンチュリーは、狭くされた部分１５０を具備しており、その後緩やかに分散する（ｄｉｖｅｒｇｉｎｇ）部分１６０が続く。再度この配置は、ベンチュリーを介してガスの流れを空気中に吸引させており、その空気は燃焼前にガスと混合する。別の場合（ａｓｐｅｃｔｓ）においてこの実施の形態は、好適な実施の形態として稼働する。
【００２８】
本発明が従来技術に対して多くの利点を提示することは、前述により認識される。
バーナーのオペレーション範囲におけるゲイン（利得）。従来のガスバーナーは大体３対１程の低いターンダウン（切替）比を有しており、一方最良のガスバーナーは概略約６：１の比を有しており、従って電気要素は一般的に１０対１より良い。本発明は２０対１より良好な比を達成可能なバーナーを提供する。上限は可変速度ファンの使用により増大される。またポート形状はガス速度の低減を補助しており、それは火炎のバーナーへの密着状態の保持を補助し、より高い比におけるブローアウト（消火）を生じず、一方で小さな断面積は、バーニングバックを生じずにバーナーが低位に落とされることを可能にする。
【００２９】
改善された燃焼により、射出量（ｅｍｉｓｓｉｏｎｓ）が減少し、効率が向上する。
製品を解体する必要なく、上からバーナーのジェットの交換が可能である。
組立／製造が容易。
料理の容器との火炎の接触の増大による効率の向上。
バーナーは、与えられた出力に関して従来のバーナーに比べてより小型であり、与えられた寸法のポットと接触するより多くの火炎により、効率の顕著な向上を生じる。
更に、バーナーの中央部における「コールドスポット」を減少する。
【図面の簡単な説明】
【図１】図１は、本発明の好適な実施の形態に従うガスバーナーの断面である。
【図２】図２は、本発明の好適な実施の形態に従う出口アセンブリの断面である。
【図３】図３は、本発明の好適な実施の形態に従う出口アセンブリの立体図である。
【図４】図４は、本発明の好適な実施の形態に従うガス及び空気取り入れマニホールドの分解立体図である。
【図５Ａ】図５Ａは、本発明の好適な実施の形態に従う出口アセンブリの平面図である。
【図５Ｂ】図５Ｂは、本発明の好適な実施の形態に従う出口ポートの拡大平面図である。
【図６】図６は、本発明の別の実施の形態に従う出口アセンブリの断面である。
【図７】図７は、可変速度ファンのための制御構想設計を示す図解するブロックダイアグラムである。
【図７】
2004504581.tif 000002
【国際公開パンフレット】
2004504581.tif 000003
2004504581.tif 000004
2004504581.tif 000005
2004504581.tif 000006
2004504581.tif 000007
2004504581.tif 000008
2004504581.tif 000009
2004504581.tif 000010
2004504581.tif 000011
2004504581.tif 000012
2004504581.tif 000013
2004504581.tif 000014
2004504581.tif 000015
2004504581.tif 000016
2004504581.tif 000017
2004504581.tif 000018
2004504581.tif 000019
【手続補正書】
【提出日】平成14年6月28日(2002.6.28)
【手続補正１】
【補正対象書類名】明細書
【補正対象項目名】０００１
【補正方法】変更
【補正の内容】
【０００１】
本発明は、特にはガス料理装置における使用のためのみではない、改善されたガスバーナーに関する。
従来技術の概要
ガス加熱を料理の手段として使用するための既知の技術には多数の装置がある。その様な装置の重要な部分は、ガス燃料のための出口を提供するガスバーナーであり、そのガス燃料はその際熱を発生するために燃焼される。従って多くの方法は長期間にわたって、その様なガスバーナーの運転特性を改善するために工夫されてきた。


【手続補正２】
【補正対象書類名】明細書
【補正対象項目名】０００６
【補正方法】変更
【補正の内容】
【０００６】
本発明の概要
本発明の第１の形態は従って、以下のものを具備するガスバーナーにより構成される。
少なくとも１つの内部空洞を具備する、バーナーハウジングと、
該内部空洞に流体接続する、多数の出口ポートを具備する出口アセンブリと、
該内部空洞に流体接続する、ガス燃料の燃料入口であって、該出口アセンブリの取り外し又は部分的取り外しに係わらず、直ちにアクセス可能で且つ取り外し可能である、該燃料入口と、
該内部空洞に流体接続していて、酸素を少なくとも含むガスのためのガス入口と、更に
該内部空洞に対する（への）酸素を少なくとも含むガスの圧力及び／又は流量を変化するように適応された制御手段であって、該圧力及び／又は流量は少なくとも一つの事前定義された基準に依存する、制御手段と、を具備しており、
そこでは少なくとも酸素を含む該ガスが該内部空洞において該ガス燃料に組み合わされており、前記の組み合わせは、該多数の出口ポートに連絡するように適応される。


【手続補正３】
【補正対象書類名】明細書
【補正対象項目名】０００７
【補正方法】変更
【補正の内容】
【０００７】
該制御手段は可変速度ファンを具備することが好ましい。


【手続補正４】
【補正対象書類名】明細書
【補正対象項目名】０００８
【補正方法】変更
【補正の内容】
【０００８】
該出口アセンブリはベンチュリーを具備することが好ましく、ベンチュリーは、該内部空洞内に設置されるように適応されており、少なくとも酸素を含む該ガスを送り、ガス燃料に組み合わせる（ｃｏｍｂｉｎｅ）。


【手続補正５】
【補正対象書類名】明細書
【補正対象項目名】０００９
【補正方法】変更
【補正の内容】
【０００９】
該ガスバーナーは、ガス燃料の前記ガス流量に関係するパラメータを供給するための手段を更に具備することが好ましく、そこでは該事前定義された基準は該パラメータを具備する。
該ガスバーナーは、該多数の出口ポートに近位のそれらの燃焼又は該組み合わせに関係するパラメータを供給するための手段を更に具備することが好ましく、そこでは該事前定義された基準は該パラメータを具備する。


【手続補正６】
【補正対象書類名】明細書
【補正対象項目名】００１０
【補正方法】変更
【補正の内容】
【００１０】
該バーナーハウジングは、可変速度ファンを該内部空洞に接続する螺旋状のボリュート（渦構造）を具備することが好ましい。


【手続補正７】
【補正対象書類名】明細書
【補正対象項目名】００１１
【補正方法】変更
【補正の内容】
【００１１】
本発明の別の形態は、以下のものを具備するガスバーナーにより構成される。　少なくとも１つの内部空洞を具備する、バーナーハウジングと、少なくとも１つの内部空洞と、ガス入口と、燃料入口と、を具備していて、全てのものが該内部空洞に流体接続しており、
該内部空洞に流体接続する、多数の出口ポートを具備する出口アセンブリであって、該多数の出口ポートが、該多数の出口ポートの近位の多数の出口アセンブリの外側周囲の実質的な部分を囲む、出口アセンブリを具備しており、
そこでは該入口は少なくとも酸素を含むガスを受容するように適応されており、該燃料入口はガス燃料の調整可能な流れを受容するように適応されており、更に
使用において少なくとも酸素を含む該ガスの流れは、該内部空洞を通り流れており、ガス燃料の該調整可能な流れと混合しており、それらの組み合わせは、燃焼される該多数の出口ポートを通り流れる。




【手続補正書】
【提出日】平成14年9月9日(2002.9.9)
【手続補正１】
【補正対象書類名】明細書
【補正対象項目名】特許請求の範囲
【補正方法】変更
【補正の内容】
【特許請求の範囲】
【請求項１】
ガスバーナーにおいて、このガスバーナーは、
少なくとも１つの内部空洞を具備する、バーナーハウジングと、
該内部空洞に流体接続する、多数の出口ポートを具備する出口アセンブリと、
該内部空洞に流体接続する、ガス燃料の燃料入口であって、該出口アセンブリの取り外し又は部分的取り外しに係わらず、直ちにアクセス可能で且つ取り外し可能である、該燃料入口と、
該内部空洞に流体接続していて、酸素を少なくとも含むガスのためのガス入口と、更に
該内部空洞に対する酸素を少なくとも含むガスの圧力及び／又は流量を変化するように適応された制御手段であって、該圧力及び／又は流量は少なくとも一つの事前定義された基準に依存する、制御手段と、
を具備しており、そこでは
少なくとも酸素を含む該ガスが該内部空洞において該ガス燃料に組み合わされており、前記の組み合わせは、該多数の出口ポートに連絡するように適応される、
ガスバーナー。
【請求項２】
該制御手段は可変速度ファンを具備する請求項１に記載のガスバーナー。
【請求項３】
該出口アセンブリはベンチュリーを具備しており、前記ベンチュリーは、該内部空洞内に設置されるように適応されており、少なくとも酸素を含む該ガスを送り、ガス燃料に組み合わせる請求項１又は２のいずれかに記載のガスバーナー。
【請求項４】
該ガス燃料の前記ガス流量に関係するパラメータを供給するための手段を更に具備しており、そこでは該事前定義された基準は該パラメータを具備する請求項１から３のいずれか一項に記載のガスバーナー。
【請求項５】
該多数の出口ポートに近位のそれの燃焼又は該組み合わせに関係するパラメータを供給するための手段を更に具備しており、そこでは該事前定義された基準は該パラメータを具備する請求項１から３のいずれか一項に記載のガスバーナー。
【請求項６】
該バーナーハウジングは、可変速度ファンを該内部空洞に接続する螺旋状のボリュートを具備する請求項２に記載のガスバーナー。
【請求項７】
ガスバーナーにおいて、このガスバーナーは、
少なくとも１つの内部空洞と、ガス入口と、燃料入口とを具備する、バーナーハウジングであって、全てのものが該内部空洞に流体接続する、バーナーハウジングと、
該燃料入口に流体接続していて、ガス燃料の調整可能な流れを提供するための調整可能なガス供給手段と、
該ガス入口に流体接続していて、少なくとも酸素を含むガスの流れを提供するための酸素供給手段と、
該空洞に流体接続する多数の出口ポートを具備する出口アセンブリと、
を具備しており、
該多数の出口ポートは、多数の出口ポートの周りで、該出口アセンブリの外側周囲の実質的な部分を囲んでおり、
使用において少なくとも酸素を含む該ガスは、該内部空洞を通り流れており、ガス燃料の該調整可能な流れと混合しており、それらのその組み合わせは、燃焼される該多数の出口ポートを通り流れる、
ガスバーナー。
【請求項８】
該多数の出口ポートのトータルの交互の幅は、多数の出口ポートの周りの該出口アセンブリの外側周囲の７０％に比べてより大きい請求項７に記載のガスバーナー。
【請求項９】
該多数の出口ポートの垂直方向の高さは、２ｍｍに比べてより小さい請求項７又は８のいずれかに記載のガスバーナー。
【請求項１０】
該多数の出口ポートの垂直方向の高さは、１ｍｍである請求項９に記載のガスバーナー。
【請求項１１】
該多数の出口ポートの各々は、０度に比べてより大きい半径方向の角度で形成されるこ請求項７から１０のいずれか一項に記載のガスバーナー。
【請求項１２】
該多数の出口ポートの各々は、４０から５０度の間にある半径方向の角度で形成される請求項１１に記載のガスバーナー。
【請求項１３】
該多数の出口ポートは多数の部分に分割されており、隣接部分の対向する限界における出口ポートの間に該出口アセンブリの外周上にスペースが存在しており、使用において適応される該スペースは、三脚台の指が、該出口ポートからの火炎が該指に実質的に衝突しない状態で、該スペース上に直接的に並置されることを許容する、請求項１２に記載のガスバーナー。
【請求項１４】
該多数の出口ポートの各々は外側に拡げられる請求項７から１３のいずれか一項に記載のガスバーナー。
【請求項１５】
該多数の出口ポートの各々は、６から１２度の間で外側に拡げられる請求項１４に記載のガスバーナー。
【国際調査報告】
2004504581.tif 000020
2004504581.tif 000021